(57)【特許請求の範囲】
【請求項１】
機器の予約運転の入時刻を示す時刻データを記憶する第１の記憶手段と、機器の予約運転の切時刻を示す時刻データを記憶する第２の記憶手段と、第１及び第２の記憶手段のうちのいずれかを選択する選択操作手段と、選択されている記憶手段に記憶されている時刻データを時刻進み方向若しくは時刻戻し方向に連続的に変更操作するための第１の設定操作手段と、選択されている記憶手段に記憶された時刻データが示す予約運転の入時刻若しくは切時刻を時刻設定なしに設定操作するための第２の設定操作手段とを備えている予約時刻設定装置において、
前記記憶手段に記憶された各時刻データが所定の値のとき時刻設定なしに設定されているものとされ、第２の設定操作手段の操作によって選択されている記憶手段に記憶されている時刻データを前記所定の値に書き換える制御部を備えていることを特徴とする予約時刻設定装置。
【請求項２】
請求項１に記載の予約時刻設定装置において、時刻データをバックアップするための第３の記憶手段をさらに備え、
前記制御部は、第２の設定操作手段の操作によって選択されている記憶手段に記憶されている時刻データを前記所定の値に書き換えるときに操作前に記憶手段に記憶されていた時刻データを第３の記憶手段にバックアップするとともに、再度第２の設定操作手段が操作されたときに第３の記憶手段にバックアップされた時刻データ若しくは該時刻データに基づいて算出された算出データを選択されている記憶手段に書き戻すように構成されていることを特徴とする予約時刻設定装置。
【請求項３】
請求項１に記載の予約時刻設定装置において、前記制御部は、第２の設定操作手段の操作によって選択されている記憶手段に記憶されている時刻データを前記所定の値に書き換えた後に再度第２の設定操作手段が操作されたとき、選択されている記憶手段に特定の時刻を示す時刻データを記憶させるように構成されていることを特徴とする予約時刻設定装置。
【請求項４】
機器の予約運転の入時刻を示す時刻データを記憶する第１の記憶手段と、機器の予約運転の切時刻を示す時刻データを記憶する第２の記憶手段と、第１及び第２の記憶手段のうちのいずれかを選択する選択操作手段と、選択されている記憶手段に記憶されている時刻データを時刻進み方向若しくは時刻戻し方向に連続的に変更操作するための第１の設定操作手段と、選択されている記憶手段に記憶された時刻データが示す予約運転の入時刻若しくは切時刻を時刻設定なしに設定操作するための第２の設定操作手段とを備えている予約時刻設定装置において、第１の記憶手段に対応して設けられ且つ予約運転の入時刻が時刻設定なしか否かを設定する第４の記憶手段と、第２の記憶手段に対応して設けられ且つ予約運転の切時刻が時刻設定なしか否かを設定する第５の記憶手段と、第２の設定操作手段の操作によって選択されている記憶手段に対応する第４又は第５の記憶手段の内容を時刻設定なしを示す値に書き換える制御部を備えていることを特徴とする予約時刻設定装置。
【請求項５】
請求項４に記載の予約時刻設定装置において、前記制御部は、第２の設定操作手段の操作によって選択されている記憶手段に対応する第４又は第５の記憶手段の内容を時刻設定なしを示す値に書き換えた後、再度第２の設定操作手段が操作されると選択されている記憶手段に対応する第４又は第５の記憶手段の内容を時刻設定ありを示す値に書き換えることを特徴とする予約時刻設定装置。
【請求項６】
請求項１〜５のいずれか１項に記載の予約時刻設定装置において、第２の設定操作手段は、ワンタッチで操作可能なスイッチにより構成されていることを特徴とする予約時刻設定装置。
【請求項７】
請求項１〜６のいずれか１項に記載の予約時刻設定装置において、前記機器は暖房機器であり、前記予約運転は予約暖房運転であることを特徴とする予約時刻設定装置。
【発明の詳細な説明】
【技術分野】
【０００１】
本発明は、床暖房システムなどの機器の予約運転時刻の設定を行うための予約時刻設定装置に関する。
【背景技術】
【０００２】
一般家庭の床暖房システムなどの機器の運転を自動的に開始させたり停止させたりするために用いられる予約運転制御装置及び方法として、例えば、下記の特許文献１に開示されたものがある。この従来の予約運転制御装置では、予約運転の開始時刻（入時刻）と終了時刻（切時刻）とをリモコンの上下ボタン等のスイッチ操作によって設定できるようになっている。
【先行技術文献】
【特許文献】
【０００３】
【特許文献１】特開２００５−６１７８０号公報
【発明の概要】
【発明が解決しようとする課題】
【０００４】
ところで、予約運転の開始時刻と終了時刻のうちの一方のみを設定し、他方を「設定なし」に設定したいというユーザーからの要望があるため、近年のリモコンにおいては、開始時刻と終了時刻のいずれかを「設定なし」（画面表示上は“−−：−−”）に設定できるように構成されたものがある。例えば、開始時刻を「設定なし」に設定し終了時刻として希望の時刻を設定して予約運転をオンにすると、ユーザーがマニュアル操作によって運転を開始した後に運転停止操作を忘れた場合でも、予め設定された終了時刻になると自動で運転を停止させる制御が行われ、上記終了時刻として毎日の就寝時刻を設定しておくことで、夜中中ずっと暖房運転が行われてしまうことを防止できる。また、終了時刻を「設定なし」に設定し開始時刻として希望の時刻、例えば毎日の帰宅時間を設定して予約運転をオンにすると、帰宅したときには部屋が暖まった状態とすることができ、帰宅後のユーザーの希望の時間にマニュアル操作で運転停止させることが可能となる。
【０００５】
このように、タイマー予約運転の開始時刻又は終了時刻の「設定なし」設定を可能にすることで、ユーザーの利便性が大きく向上されるようになる。
【０００６】
かかる「設定なし」設定の実現方法としては、例えば、開始時刻又は終了時刻を示す時刻データを“００：００”〜“２３：５０”の範囲で１０分刻みで時刻設定可能に構成するとともに、“２３：５０”と“００：００”の間に内部的な値として“２４：００”となることを許容し、この“２４：００”が時刻データとして設定されているとき、「設定なし」設定がなされているものとして予約運転制御することが考えられる。
【０００７】
このように構成しておけば、リモコンの上下ボタンの操作だけで、“００：００”〜“２３：５０”の範囲で１０分刻みでの時刻設定を行うか、或いは、「時刻設定なし」の設定を行うことができ、リモコンの操作ボタン数の減少、リモコンデザインの簡素化、コスト低減等を図ることができる。しかし、「設定なし」設定を行うために多くの時刻送り操作が必要となり、迅速に「設定なし」設定を行うことができず、また、そもそも「設定なし」設定の存在を知らないユーザーがその存在を気づくことが困難であるという問題がある。
【０００８】
そこで、本発明は、「設定なし」設定を直接操作する操作手段（スイッチなど）を新たに設けることによって、リモコンなどにおける限られた操作スイッチと表示要素で、開始時刻あるいは終了時刻のみを指定するタイマー予約運転の設定を迅速かつ容易に行えるようにすることを目的とする。
【課題を解決するための手段】
【０００９】
上記目的を達成するために、本発明は、次の技術的手段を講じた。
【００１０】
すなわち、本発明は、機器の予約運転の入時刻（開始時刻）を示す時刻データを記憶する第１の記憶手段と、機器の予約運転の切時刻（終了時刻）を示す時刻データを記憶する第２の記憶手段と、第１及び第２の記憶手段のうちのいずれかを選択する選択操作手段と、選択されている記憶手段に記憶されている時刻データを時刻進み方向若しくは時刻戻し方向に連続的に変更操作するための第１の設定操作手段と、選択されている記憶手段に記憶された時刻データが示す予約運転の入時刻若しくは切時刻を時刻設定なしに設定操作するための第２の設定操作手段とを備えていることを特徴とする予約時刻設定装置である（請求項１）。
【００１１】
かかる本発明の予約時刻設定装置によれば、選択操作手段により第１及び第２の記憶手段のうちのいずれかを選択して第１の設定操作手段を操作することにより、選択された記憶手段に記憶されている時刻データを時刻進み方向若しくは時刻戻し方向に時刻送りすることで時刻設定を行うことができる。また、「時刻設定なし」に設定したい場合には、第２の設定操作手段を操作することによって容易かつ迅速に選択されている記憶手段に記憶
された時刻データが示す予約運転の入時刻若しくは切時刻を「時刻設定なし」に設定することができ、操作パネル等の簡素化を図りつつも、「時刻設定なし」を含む予約時刻設定を容易に行えるようになる。
【００１２】
本発明において、前記記憶手段に記憶された各時刻データが所定の値（例えば、“０：００”や“２４：００”など時刻データとなり得る値の数列の一つの値）のとき時刻設定なしに設定されているものとして、実際の予約運転制御で扱うことができる。この場合、第２の設定操作手段の操作によって選択されている記憶手段に記憶されている時刻データを前記所定の値に書き換える制御部を備えることができる（請求項１）。これによれば、第１の設定操作手段による時刻送り操作によっても、選択されている記憶手段に記憶された時刻データが示す予約運転の入時刻若しくは切時刻を時刻設定なしに設定することが可能である。また、「時刻設定なし」に設定されている状態で、第１の設定操作手段を操作することにより所定の時刻から順に時刻送りを行うこともでき、第２の設定操作手段をいわばリセットスイッチとして利用することも可能となる。
【００１３】
また、時刻データをバックアップするための第３の記憶手段をさらに備えることができ、前記制御部は、第２の設定操作手段の操作によって選択されている記憶手段に記憶されている時刻データを前記所定の値に書き換えるときに操作前に記憶手段に記憶されていた時刻データを第３の記憶手段にバックアップするとともに、再度第２の設定操作手段が操作されたときに第３の記憶手段にバックアップされた時刻データ若しくは該時刻データに基づいて算出された算出データを選択されている記憶手段に書き戻すように構成されているものとすることができる（請求項２）。これによれば、ユーザーが例えば曜日によって特定の予約時刻を設定したり「時刻設定なし」に設定したりしたい場合に、第２の設定操作手段を操作する度に、「時刻設定なし」の設定と、予め設定しておいた特定時刻の設定とを切換えることができ、一層の利便性の向上を図ることができる。なお、「該時刻データに基づいて算出された算出データ」とは、例えば、１８：４０がバックアップされた時刻データであるときに、１時間毎や３０分毎などに丸めて１９：００や１８：３０を算出データとして記憶手段に書き戻しても良い趣旨である。
【００１４】
また、前記制御部は、第２の設定操作手段の操作によって選択されている記憶手段に記憶されている時刻データを前記所定の値に書き換えた後に再度第２の設定操作手段が操作されたとき、選択されている記憶手段に特定の時刻を示す時刻データを記憶させるように構成してもよい（請求項３）。これによれば、第２の設定操作手段を２回操作することによって特定時刻、例えば１８：００などに容易かつ迅速に設定することができる。
【００１５】
また、上記本発明の予約時刻設定装置において、第１の記憶手段に対応して設けられ且つ予約運転の入時刻が時刻設定なしか否かを設定する第４の記憶手段と、第２の記憶手段に対応して設けられ且つ予約運転の切時刻が時刻設定なしか否かを設定する第５の記憶手段と、第２の設定操作手段の操作によって選択されている記憶手段に対応する第４又は第５の記憶手段の内容を時刻設定なしを示す値に書き換える制御部を備えていてもよく（請求項４）、かかる構成を採用する場合は、第４及び第５の記憶手段に記憶された値に基づいて、「時刻設定なし」が設定されているか否かを判断する予約運転制御を実施する。これによれば、第２の設定操作手段の操作によっても、入時刻及び切時刻を設定している第１及び第２の記憶手段の内容を保持しておくことができ、より少ない使用メモリ量と制御ステップ数で、「時刻設定なし」に設定したり、所定の入時刻又は切時刻の設定を有効化したりすることが可能となる。
【００１６】
また、前記制御部は、第２の設定操作手段の操作によって選択されている記憶手段に対応する第４又は第５の記憶手段の内容を時刻設定なしを示す値に書き換えた後、再度第２の設定操作手段が操作されると選択されている記憶手段に対応する第４又は第５の記憶手段の内容を時刻設定ありを示す値に書き換えるものとすることができる（請求項５）。これによれば、第２の設定操作手段を操作する毎に、「時刻設定なし」を設定したり、予め設定した所定の時刻に設定したりすることができる。
【００１７】
第２の設定操作手段は、ワンタッチで操作可能なスイッチにより構成することができる（請求項６）。これによれば、「時刻設定なし」設定が可能であることを知らないユーザーでも、表示パネルを見ただけで容易にその存在を気づくことができ、かつ、操作も簡単で、ユーザーが思い立った際に気軽に「時刻設定なし」設定を利用することができるようになる。
【００１８】
また、本発明は、前記機器が暖房機器であり、前記予約運転が予約暖房運転である場合に好適に実施できる（請求項７）。これによれば、ユーザーの生活パターンに応じて柔軟に予約暖房運転を利用することが可能になる。
【発明の効果】
【００１９】
本発明の請求項１に係る予約時刻設定装置によれば、選択操作手段により第１及び第２の記憶手段のうちのいずれかを選択して第１の設定操作手段を操作することにより、選択された記憶手段に記憶されている時刻データを時刻進み方向若しくは時刻戻し方向に時刻送りすることで時刻設定を行うことができる。また、「時刻設定なし」に設定したい場合には、第２の設定操作手段を操作することによって容易かつ迅速に選択されている記憶手段に記憶された時刻データが示す予約運転の入時刻若しくは切時刻を「時刻設定なし」に設定することができ、操作パネル等の簡素化を図りつつも、「時刻設定なし」を含む予約時刻設定を容易に行えるようになる。
【００２０】
また、本発明の請求項１に係る予約時刻設定装置によれば、第１の設定操作手段による時刻送り操作によっても、選択されている記憶手段に記憶された時刻データが示す予約運転の入時刻若しくは切時刻を時刻設定なしに設定することが可能である。また、「時刻設定なし」に設定されている状態で、第１の設定操作手段を操作することにより所定の時刻から順に時刻送りを行うこともでき、第２の設定操作手段をいわばリセットスイッチとして利用することも可能となる。
【００２１】
また、本発明の請求項２に係る予約時刻設定装置によれば、ユーザーが例えば曜日によって特定の予約時刻を設定したり「時刻設定なし」に設定したりしたい場合に、第２の設定操作手段を操作する度に、「時刻設定なし」の設定と、予め設定しておいた特定時刻の設定とを切換えることができ、一層の利便性の向上を図ることができる。
【００２２】
また、本発明の請求項３に係る予約時刻設定装置によれば、第２の設定操作手段を２回操作することによって特定時刻、例えば１８：００などに容易かつ迅速に設定することができる。
【００２３】
また、本発明の請求項４に係る予約時刻設定装置によれば、第２の設定操作手段の操作によっても、入時刻及び切時刻を設定している第１及び第２の記憶手段の内容を保持しておくことができ、より少ない使用メモリ量と制御ステップ数で、「時刻設定なし」に設定したり、所定の入時刻又は切時刻の設定を有効化したりすることが可能となる。
【００２４】
また、本発明の請求項５に係る予約時刻設定装置によれば、第２の設定操作手段を操作する毎に、「時刻設定なし」を設定したり、予め設定した所定の時刻に設定したりすることができる。
【００２５】
また、本発明の請求項６に係る予約時刻設定装置によれば、「時刻設定なし」設定が可能であることを知らないユーザーでも、表示パネルを見ただけで容易にその存在を気づくことができ、かつ、操作も簡単で、ユーザーが思い立った際に気軽に「時刻設定なし」設定を利用することができるようになる。
【００２６】
また、本発明の請求項７に係る予約時刻設定装置によれば、ユーザーの生活パターンに応じて柔軟に予約暖房運転を利用することが可能になる。
【図面の簡単な説明】
【００２７】
【図１】本発明の一実施形態に係る予約時刻設定装置となるリモコンの正面図である。
【発明を実施するための形態】
【００２８】
以下、本発明の好適な実施形態を図面に基づいて説明する。
【００２９】
図１は、本発明の一実施形態に係るリモコン１を示し、該リモコン１は、給湯暖房システムの上位制御装置として機能するとともに、床暖房装置などの暖房システムの暖房機器のタイマー予約暖房運転の予約時刻設定装置としても機能するものとなる。
【００３０】
すなわち、リモコン１には、制御部としてのＣＰＵ、ＲＡＭやフラッシュメモリなどにより構成される記憶装置、現在時刻をカウントするための内蔵時計、液晶表示装置２、並びに、各種操作スイッチを有する操作パネル３など、従来公知の構成を具備するものであり、記憶装置に記憶されたプログラム及びデータを用いたＣＰＵにおける各種処理によって、種々の制御機能及び予約設定機能などが実現されている。なお、図１の表示装置２内の左上には現在時刻が表示され、その下方の上段には第１タイマー予約設定の入時刻設定と切時刻設定とが表示され、その下段には第２タイマー予約設定の入時刻設定と切時刻設定とが表示され、右端には温度設定値が表示されている。
【００３１】
以下、本発明に関連する構成及び機能について詳細に説明すると、本実施形態のリモコン１は、入時刻設定及び切時刻設定が対となったタイマー予約設定を２つ登録可能に構成されており、それぞれのタイマー予約設定毎に、記憶装置内に、機器の予約運転の入時刻を示す時刻データを記憶する領域（第１の記憶手段）と、機器の予約運転の切時刻を示す時刻データを記憶する領域（第２の記憶手段）とが確保されている。図示例では、第１タイマー予約設定では“６：３０”を示す時刻データが第１の記憶手段に記憶され、“８：３０”を示す時刻データが第２の記憶手段に記憶されている状態となる。また、第２タイマー予約設定では、“１８：００”を示す時刻データが第１の記憶手段に記憶され、切時刻は設定なし“−−：−−”に設定されている状態が示されている。
【００３２】
また、操作パネル３には、第１タイマー予約設定（タイマー１）の設定を開始するための「タイマー１設定」スイッチ４と、第２タイマー予約設定（タイマー２）の設定を開始するための「タイマー２設定」スイッチ５と、時刻送り用上下スイッチ６（第１の設定操作手段）と、「確定」スイッチ７（選択操作手段）と、「設定なし」設定スイッチ８（第２の設定操作手段）と、タイマー入／切スイッチ９と、温度設定用上下スイッチ１０とが設けられている。
【００３３】
各予約設定開始スイッチ４，５を操作すると、それぞれに対応するタイマー予約設定プログラムが制御部において実行され、まず、設定を開始したタイマー予約の入時刻表示が点滅状態となって入時刻設定中であることをユーザーに表示し、このとき、時刻送り用上下スイッチ６の上スイッチ部を操作すると入時刻が１０分間隔で時刻進み方向に連続的に時刻送りされ、下スイッチ部を操作すると入時刻が１０分間隔で時刻戻り方向に連続的に時刻送りされるようになっている。かかる操作によって、入時刻を“０：００”〜“２３：５０”の間で設定可能になっている。
【００３４】
また、入時刻設定中に「設定なし」設定スイッチ８を操作すると、点滅状態の入時刻が、「設定なし」を示す“−−：−−”に設定される。
【００３５】
入時刻の設定は「確定」スイッチ７の操作によって確定され、該「確定」スイッチ７を操作することによって入時刻表示が点灯状態となる一方、切時刻表示が点滅状態となって切時刻設定中であることをユーザーに表示する。かかる入時刻設定中に操作される「確定」スイッチ７によって、第１及び第２の記憶手段のうちのいずれかを選択する選択操作手段が構成される。
【００３６】
切時刻設定中は、上述の入時刻設定中と同様に、時刻送り用上下スイッチ６の上スイッチ部を操作すると切時刻が１０分間隔で時刻進み方向に連続的に時刻送りされ、下スイッチ部を操作すると切時刻が１０分間隔で時刻戻り方向に連続的に時刻送りされるようになっている。かかる操作によって、切時刻を“０：００”〜“２３：５０”の間で設定可能になっている。また、切時刻設定中に「設定なし」設定スイッチ８を操作すると、点滅状態の切時刻が、「設定なし」を示す“−−：−−”に設定される。
【００３７】
切時刻の設定も「確定」スイッチ７の操作によって確定され、切時刻設定中に「確定」スイッチ７を操作することによって切時刻表示が点灯状態となって、当該予約設定が完了する。
【００３８】
図１に示すように予約設定を行った後に、タイマー入／切スイッチ９を操作することによって予約運転制御を開始すると、第１タイマー予約設定の入時刻である６時３０分に自動的に機器の運転が開始され、切時刻である８時３０分に運転が自動的に停止する。また、第２タイマー予約設定の入時刻である１８時０分にも機器の運転が自動的に開始されるが、切時刻が「時刻設定なし」に設定されているため自動的には運転が停止することはなく、リモコン１に別途設けた運転停止スイッチ（図示せず）のマニュアル操作を行うまで運転が継続する。なお、タイマー入／切スイッチ９を２度押しや３度押しするなど所定の操作を行うことで第１タイマー予約設定のみ若しくは第２タイマー予約設定のみを有効なものとして予約運転制御を行わせることもできる。
【００３９】
上記本実施形態において、各入時刻及び切時刻を「時刻設定なし」に設定する具体的方法は適宜のものとすることができる。例えば、各記憶手段に記憶された各時刻データが所定の値、例えば２４：００を示す値のとき時刻設定なし“−−：−−”に設定されているものとして扱うことが可能である。この場合、選択設定中の記憶手段に記憶された時刻データが“０：００”を示す値であるときに上下スイッチ６の下スイッチ部を操作すると“−−：−−”（時刻設定なし）に設定され、上記時刻データが“２３：５０”を示す値であるときに上下スイッチ６の上スイッチ部を操作した場合も“−−：−−”（時刻設定なし）に設定され、さらに“−−：−−”（時刻設定なし）に設定されているときに上下スイッチ６を操作すると“０：００”若しくは“２３：５０”を示す値に設定されるようにプログラムしておくことが好ましい。
【００４０】
かかる構成において、予約時刻設定中に「設定なし」設定スイッチ８を操作すると、制御部が、選択されている記憶手段に記憶されている時刻データを２４：００を示す値に書き換えるように構成しておくことができる。より好ましくは、記憶装置内に時刻データをバックアップするための別の領域（第３の記憶手段）をさらに確保しておき、「設定なし」設定スイッチ８の操作によって選択されている記憶手段に記憶されている時刻データを２４：００を示す値に書き換えるときに、当該操作前に記憶手段に記憶されていた時刻データを上記別の領域（第３の記憶手段）にバックアップするプログラムにより制御部を動作させることができる。さらに、再度「設定なし」設定スイッチ８が操作されると、上記別の領域にバックアップされた時刻データをそのまま、若しくは、当該時刻データを例えば１時間毎や３０分毎に丸め処理して、選択されている記憶手段に書き戻すように制御部をプログラム構成することができる。また、上記第３の記憶手段への時刻データの退避を行わずに、第３の記憶手段に常時特定の時刻を示す時刻データを保存しておいて、再度「設定なし」設定スイッチ８が操作されたときに、この特定の時刻を示す時刻データを選択されている記憶手段に上書きすることも可能である。
【００４１】
各入時刻及び切時刻を「時刻設定なし」に設定する具体的方法の他の実施例として、各タイマー予約設定の第１の記憶手段に対応して設けられ且つ予約運転の入時刻が時刻設定なしか否かを設定する入時刻設定有無フラグ（第４の記憶手段）と、第２の記憶手段に対応して設けられ且つ予約運転の切時刻が時刻設定なしか否かを設定する切時刻設定有無フラグ（第５の記憶手段）とを、記憶装置内で領域確保するか若しくはＣＰＵ内部のレジスタ値として確保しておいても良い。この場合は、予約時刻設定中に「設定なし」設定スイッチ８が操作されると、選択されている記憶手段に対応するフラグの内容を時刻設定なしを示す値（例えば二進数の１）に書き換えるように、制御部により実行されるプログラムを構成しておく。また、予約運転制御プログラムにおいては、上記各フラグの値を参照することで、予約時刻設定における入時刻及び切時刻が「時刻設定なし」に設定されているか否かを判定するようにしておく。さらに、上記のように選択されている記憶手段に対応するフラグの内容を時刻設定なしを示す値に書き換えた後に、再度「設定なし」設定スイッチ８が操作されると、選択されている記憶手段に対応するフラグの内容を時刻設定ありを示す値（例えば二進数の０）に書き換えるように、制御部により実行されるプログラムを構成しておくことができる。
【００４２】
本発明は上記実施形態に限定されるものではなく、適宜設計変更することができる。例えば、上記実施形態では第１の設定操作手段として上下スイッチを採用したが、時刻を進み方向にのみ、若しくは、戻り方向にのみ時刻送りする１ボタンスイッチであっても良い。また、選択操作手段は上記実施形態の「確定」スイッチに限らず、入時刻及び切時刻のいずれか一方を積極的にユーザーが指定できる複数スイッチ構成であっても良い。また、第１の設定操作手段により時刻データが１０分間隔で時刻送りされる構成を示したが、１分間隔で時刻送りされるものであってもよく、その他、適宜の時間間隔で時刻送りされるものであって良い。また、制御部は、記憶装置に記憶されたプログラムを実行するＣＰＵによって構成したが、専用論理回路によって構成することも勿論可能である。
【符号の説明】
【００４３】
１  リモコン（予約時刻設定装置）
６  第１の設定操作手段（上下スイッチ）
７  選択操作手段（確定スイッチ）
８  第２の設定操作手段（「時刻設定なし」設定スイッチ）
【図１】
0005962182.tif 000002